(57)【要約】【課題】  使用者がモード切り替えスイッチを操作することによって、動画撮影モードから静止画撮影モードに切り替える構成では、モードの切り替えに時間を要する。【解決手段】  撮像記録を開始させるためのスイッチが同一動作にて、静止画撮影時と、動画撮影時のスイッチ動作をそれぞれ変化させ、なおかつ動画撮影時に該２段目のスイッチが押されたことを検知し予め定められた所定の動作に移行させる。【選択図】  図２
2007060094.tif 000002
【特許請求の範囲】
【請求項１】
動画記録、静止画記録機能の双方を有し、着脱可能、もしくは、機器内に内蔵されるメモリを有し、単一の静止画記録時間が、一単位時間動画記録時間よりも長い時間を必要とするCCDを有し、動画撮影もしくは、静止画撮影を切り替える手段を有し、動画もしくは、静止画記録を開始するための複数の押す深さによって一段目のスイッチ２段目のスイッチもしくは複数のスイッチをONすることができる機能を有す複数段スイッチ手段を有し、動画撮影中に前期記録開始手段において所定の動作がユーザから行われた場合に静止画を記録する機能を有する撮像装置において、
撮像記録を開始させるためのスイッチが同一動作にて、静止画撮影時と、動画撮影時のスイッチ動作をそれぞれ変化させ、なおかつ動画撮影時に該２段目のスイッチが押されたことを検知し予め定められた所定の動作に移行させることを特徴とした撮像装置。
【請求項２】
動画撮影時において２段スイッチの押し込みが浅いところでONする第一のスイッチがONされることによって撮像装置を静止画撮影モードに移行し該２段スイッチの第一のスイッチよりも、深く押されたことによってONする第二のスイッチが、押されたことによって、第二のスイッチが押された時点から、静止画撮影を開始すること特徴とする請求項１に記載の撮像装置。
【請求項３】
第一のスイッチが押された時点から、第二のスイッチが押されず第１のスイッチがOFFされた場合において、動画撮影を停止することを特徴とする請求項２に記載の撮像装置。
【請求項４】
動画撮影後、静止画撮像が終了した時点で、動画撮影に戻り２段スイッチの第一のスイッチが再度押されるまで動画撮影を続けることを特徴とする請求項２に記載の撮像装置。
【請求項５】
前記請求項目第一項に関わり、第一のスイッチと第二のスイッチ、それぞれのスイッチのON、OFFのされる時間に応じて、動画撮影モードから、静止画撮影に移行する、もしくは、動画撮影モードから静止画撮影モードへの移行を制御することを特徴とする請求項１に記載の撮像装置。
【請求項６】
動画記録、静止画記録機能の双方を有し、
着脱可能、もしくは、機器内に内蔵されるメモリを有し、
単一の静止画記録時間が、一単位時間動画記録時間よりも長い時間を必要とするCCDを有し、
動画撮影もしくは、静止画撮影を切り替える手段を有し、
動画もしくは、静止画記録を開始するための複数の押す深さによって一段目のスイッチ２段目のスイッチもしくは両方のスイッチをONすることができる機能を有す複数段スイッチ手段を有し、
動画撮影を開始または停止するためのスイッチを有し、
撮像装置の静止画、動画撮影、または予め定められた撮影モードを設定するためのスイッチ手段を有し、
動画撮影を開始または、停止するためのスイッチによって開始された動画撮影中に前期複数段スイッチの動作にしたがって予め定められた動画記録から静止画記録、もしくは、静止画記録から動画記録への移行を行うことを特徴とした撮像装置。
【請求項７】
前記請求項目第６項に関わり、複数段スイッチの第一のスイッチと第二のスイッチ、それぞれのスイッチのON、OFFのされる時間に応じて、動画撮影モードから、静止画撮影に移行する、もしくは、動画撮影モードから静止画撮影モードへの移行を制御することを特徴とする請求項６に記載の撮像装置。
【発明の詳細な説明】
【技術分野】
【０００１】
本発明は撮像装置に係り、とくに動画静止画を撮影することに特徴をもつ撮像装置。
【背景技術】
【０００２】
図１を用いて従来の方法について説明する。
【０００３】
１は、光を電気信号に変換するための撮像制御装置の駆動を制御するための撮像制御装置、２は、光を電気信号に変換するための固体撮像素子、３は、固体撮像素子２から送出される電気信号をアナログデジタル変換するためのアナログデジタル変換装置、４は音声を電気信号に変換するためのマイク、５は、マイク４から送出される電気信号化された音声信号を、アナログデジタル変換するためのアナログデジタル変換装置、６は、アナログデジタル変換装置３、アナログデジタル変換装置５から送出される信号もしくは、中央制御装置、メモリコントローラ７からのデータを中央制御装置、メモリコントローラ７からの指令によってデータを圧縮伸張するための圧縮装置、７は機器内装置を制御し、なおかつ、機器外メモリ、または、接続されるメモリを制御するための中央制御装置、８は、機器内部もしくは、外部にある画像、音声データなどのデータを格納するための記録メモリ、９は主に機器内部において、画像、音声データを処理するために使用される記録メモリ、１０はメモリ９内の画像メモリ領域、１１は、メモリ９内の音声メモリ領域、１３は、単体のスイッチ構成で複数のスイッチ機能を有し、スイッチの押し込み量によって、スイッチのON状態が変化する、２段スイッチ、１４は、撮影モードを切り替えるためのモード切替スイッチ、１５は、動画撮影を開始するための、動画開始スイッチ、１６は、２段スイッチ１３の押し込み位置が浅い位置でONする第一のスイッチSW１、１７は、２段スイッチ１３の深い位置でONする第二のスイッチSW２である。
【０００４】
ついで従来の動作について説明する。静止画撮影機能と、動画撮影機能を併せ持つ撮像装置において、使用者は、撮影モード切替スイッチ１４で所望の撮影モードを選択する（例えば、特許文献１を参照）。ここで動画撮影モードを選択し中央制御装置７は、動画撮影モードを開始する状態にする。２段スイッチ１３のSW１  １６もしくは、SW２  １７が押されたことを中央制御装置７が検知し所望の動画撮影を開始する。SW１  １６のスイッチが押されたことによって、フォーカス、絞りなどの制御を行ってから、SW２  １７によって動画撮影を開始してもよい。開始された動画撮影モードは、中央制御装置、メモリコントローラ７から撮像制御装置１に対して、動画を生成するために十分な速度で動画読み出しを行うように制御する。撮像制御装置１は中央制御装置、メモリコントローラ７によって制御された動作証券に応じて、固体撮像素子２に対して、駆動信号を送出する。固体撮像素子２は、動画に応じたデータ量とデータレートの信号をアナログデジタル変換装置３に送出し、アナログデジタル変換装置３は、入力されたアナログ信号を、デジタル信号に変換する。マイク４か入力された音声信号は、電気信号に変換されて、アナログデジタル変換装置５に送出されアナログデジタル変換装置５は、入力されたアナログ信号を、デジタル信号に変換する。画像、音声それぞれのデジタル化されたデータは、中央制御装置、メモリコントローラ７を介して、メモリ９に一旦書き込まれる。書き込まれたデータは必要に応じて圧縮装置６に中央制御装置、メモリコントローラ７から制御されたメモリ９から読み出されたデータ-が、圧縮装置６に送出されデータを圧縮した後再び中央制御装置、メモリコントローラ７を介してメモリ９に格納される。格納されたデータは、中央制御装置、メモリコントローラ７によって画像データと音声データを時分割にし、画像データと画像データとの間に挿入される形で、音声データが入れ込まれることになり、１つのファイル形式として生成される。生成されたデータは、中央制御装置、メモリコントローラ７から記録メモリ８に対して書き込まれることになる。
【０００５】
静止画記録時においては、撮影モード切替スイッチ１４を所望の静止画撮影モードに切り替え、中央制御装置７は、所定の静止画撮影の準備を行う、使用者が、２段スイッチ１３のSW１  １６を押したことにより、フォーカス、露光など撮影に対して必要な準備を行い、SW２  １７が押されたことで撮影を行う。静止画撮影は、中央制御装置７、から制御された撮像制御装置１によって固体撮像素子２に対して、静止画用の駆動信号を送出する。固体撮像素子２は、静止画に応じたデータ量とデータレートの信号をアナログデジタル変換装置３に送出し、アナログデジタル変換装置３は、入力されたアナログ信号を、デジタル信号に変換する。
【０００６】
画像のデジタル化されたデータは、中央制御装置、メモリコントローラ７を介して、メモリ９に一旦書き込まれる。書き込まれたデータは必要に応じて圧縮装置６に中央制御装置、メモリコントローラ７から制御されたメモリ９から読み出されたデータ-が、圧縮装置６に送出されデータを圧縮した後再び中央制御装置、メモリコントローラ７を介してメモリ９に格納される。格納された圧縮データは、中央制御装置、メモリコントローラ７を介して記録メモリ８に書き込まれる。
【特許文献１】特開平１０−２８８８０２号公報
【発明の開示】
【発明が解決しようとする課題】
【０００７】
ところが、かかる従来の制御および構成では、以下に掲げる問題点がある。動画記録中に静止画を記録するには、CCDからの読み出しを静止画読み出しのためのモードに切り替える必要がある。静止画記録モードにすると大きい画素サイズのCCDの場合、静止画記録では、動画のフルレートで読み出すことができないため静止画が多画素の読み出しができない。そのため静止画撮影モードと、動画撮影モードをモード切替手段などで使用者に使用モードを切り替えてから撮影せねばならなかったが、モード切替に時間がかかるため、動画撮影中に高精彩な静止画像を必要としている際にも、すばやく移行できず撮影チャンスを逃していた。
【課題を解決するための手段】
【０００８】
撮像装置において、動画撮影中の静止画撮影において、静止画撮影するためのスイッチを予め定められた条件において、動画撮影時から、静止画撮影に移行する制御することにより、動画撮影中から静止画撮影に移行するものである。
【発明の効果】
【０００９】
本発明によれば、とくに撮像装置に係わり動画静止が両方の記録を行う際に、動画記録中に静止画記録を行う際にすばやく静止画記録を行え、静止画記録準備中にすばやく動画記録を開始できる。
【発明を実施するための最良の形態】
【００１０】
以下、図面を参照しながら本発明の実施例を説明する。 
図２において、１は、光を電気信号に変換するための撮像制御装置の駆動を制御するための撮像制御装置、２は、光を電気信号に変換するための固体撮像素子、３は、固体撮像素子２から送出される電気信号をアナログデジタル変換するためのアナログデジタル変換装置、４は音声を電気信号に変換するためのマイク、５は、マイク４から送出される電気信号化された音声信号を、アナログデジタル変換するためのアナログデジタル変換装置、６は、アナログデジタル変換装置３、アナログデジタル変換装置５から送出される信号もしくは、中央制御装置、メモリコントローラ７からのデータを中央制御装置、メモリコントローラ７からの指令によってデータを圧縮伸張するための圧縮装置、７は機器内装置を制御しユーザからのスイッチが押されたかどうか、モード切替の状態を監視し予め定められた動作をに従い効きないを制御する、なおかつ、機器外メモリ、または、接続されるメモリを制御するための中央制御装置、８は、機器内部もしくは、外部にある画像、音声データなどのデータを格納するための記録メモリ、９は主に機器内部において、画像、音声データを処理するために使用される記録メモリ、１０はメモリ９内の画像メモリ領域、１１は、メモリ９内の音声メモリ領域、１５は、動画記録開始するための、動画撮影開始スイッチ。
【００１１】
本発明の動作について説明する。動画記録を行う際には中央制御装置、メモリコントローラ７から撮像制御装置１に対して、動画を生成するために十分な速度で動画読み出しを行うように制御する。撮像制御装置１は中央制御装置、メモリコントローラ７によって制御された動作条件に応じて、固体撮像素子２に対して、駆動信号を送出する。固体撮像素子２は、動画に応じたデータ量とデータレートの信号をアナログデジタル変換装置３に送出し、アナログデジタル変換装置３は、入力されたアナログ信号を、デジタル信号に変換する。マイク４か入力された音声信号は、電気信号に変換されて、アナログデジタル変換装置５に送出されアナログデジタル変換装置５は、入力されたアナログ信号を、デジタル信号に変換する。  画像、音声それぞれのデジタル化されたデータは、中央制御装置、メモリコントローラ７を介して、メモリ９に一旦書き込まれる。書き込まれたデータは必要に応じて圧縮装置６に中央制御装置、メモリコントローラ７から制御されたメモリ９から読み出されたデータ-が、圧縮装置６に送出されデータを圧縮した後再び中央制御装置、メモリコントローラ７を介してメモリ９に格納される。格納されたデータは、中央制御装置、メモリコントローラ７によって画像データと音声データを時分割にし、画像データと画像データとの間に挿入される形で、音声データが入れ込まれることになり、１つのファイル形式として生成される。生成されたデータは、中央制御装置、メモリコントローラ７から記録メモリ８に対して書き込まれることになる。
【００１２】
静止画記録時においては、中央制御装置、メモリコントローラ７から制御された撮像制御装置１によって固体撮像素子２に対して、静止画用の駆動信号を送出する。固体撮像素子２は、静止画に応じたデータ量とデータレートの信号をアナログデジタル変換装置３に送出し、アナログデジタル変換装置３は、入力されたアナログ信号を、デジタル信号に変換する。画像のデジタル化されたデータは、中央制御装置、メモリコントローラ７を介して、メモリ９に一旦書き込まれる。書き込まれたデータは必要に応じて圧縮装置６に中央制御装置、メモリコントローラ７から制御されたメモリ９から読み出されたデータ-が、圧縮装置６に送出されデータを圧縮した後再び中央制御装置、メモリコントローラ７を介してメモリ９に格納される。格納された圧縮データは、中央制御装置、メモリコントローラ７を介して記録メモリ８に書き込まれる。
【００１３】
動画記録時において、静止画記録を行う際において撮影モード切替スイッチ１４によって予め、動画撮影モードに設定されている場合において、２段スイッチ１３のSW１  １６がユーザに押されたこと、もしくは、撮影モード切替スイッチ１４が、動画記録モードに設定されていない場合に動画撮影開始スイッチ１５が押されたことを検知し、動画記録を開始する、動画記録中は中央制御装置、メモリコントローラ７から撮像制御装置１に対して、動画を生成するために十分な速度で動画読み出しを行うように制御する。撮像制御装置１は中央制御装置、メモリコントローラ７によって制御された動作条件に応じて、固体撮像素子２に対して、駆動信号を送出する。固体撮像素子２は、動画に応じたデータ量とデータレートの信号をアナログデジタル変換装置３に送出し、アナログデジタル変換装置３は、入力されたアナログ信号を、デジタル信号に変換する。マイク４か入力された音声信号は、電気信号に変換されて、アナログデジタル変換装置５に送出されアナログデジタル変換装置５は、入力されたアナログ信号を、デジタル信号に変換する。画像、音声それぞれのデジタル化されたデータは、中央制御装置、メモリコントローラ７を介して、メモリ９に一旦書き込まれる。書き込まれたデータは必要に応じて圧縮装置６に中央制御装置、メモリコントローラ７から制御されたメモリ９から読み出されたデータ-が、圧縮装置６に送出されデータを圧縮した後再び中央制御装置、メモリコントローラ７を介してメモリ９に格納される。格納されたデータは、中央制御装置、メモリコントローラ７によって画像データと音声データを時分割にし、画像データと画像データとの間に挿入される形で、音声データが入れ込まれることになり、１つのファイル形式として生成される。生成されたデータは、中央制御装置、メモリコントローラ７から記録メモリ８に対して書き込まれる動作を連続しつづける。このときに、ユーザによって、２段スイッチ１３のSW２  １７が押されたことによって、動画撮影を停止し、すぐさま、静止画撮影を開始する。静止画撮影は、前述のとおり記録メモリ８に撮影された静止画を格納完了するまで、行われ記録メモリ８に静止画が格納された時点で、動画撮影を続行する。その後２段スイッチ１３のSW１  １６が、押される、もしくは、動画撮影開始スイッチ１５が、押されたことにより、動画撮影を停止し、記録準備状態に移行する。
【００１４】
また、記録準備状態から、動画撮影開始スイッチ１５が押された場合、このときは、撮影モード切替スイッチ１４の状態に関わらず、動画撮影を開始する。撮影モード切替スイッチ１４が押されたことにより、撮像装置は、動画撮影モードに移行し、動画記録を行う際には中央制御装置、メモリコントローラ７から撮像制御装置１に対して、動画を生成するために十分な速度で動画読み出しを行うように制御する。撮像制御装置１は中央制御装置、メモリコントローラ７によって制御された動作条件に応じて、固体撮像素子２に対して、駆動信号を送出する。固体撮像素子２は、動画に応じたデータ量とデータレートの信号をアナログデジタル変換装置３に送出し、アナログデジタル変換装置３は、入力されたアナログ信号を、デジタル信号に変換する。マイク４か入力された音声信号は、電気信号に変換されて、アナログデジタル変換装置５に送出されアナログデジタル変換装置５は、入力されたアナログ信号を、デジタル信号に変換する。画像、音声それぞれのデジタル化されたデータは、中央制御装置、メモリコントローラ７を介して、メモリ９に一旦書き込まれる。書き込まれたデータは必要に応じて圧縮装置６に中央制御装置、メモリコントローラ７から制御されたメモリ９から読み出されたデータ-が、圧縮装置６に送出されデータを圧縮した後再び中央制御装置、メモリコントローラ７を介してメモリ９に格納される。格納されたデータは、中央制御装置、メモリコントローラ７によって画像データと音声データを時分割にし、画像データと画像データとの間に挿入される形で、音声データが入れ込まれることになり、１つのファイル形式として生成される。生成されたデータは、中央制御装置、メモリコントローラ７から記録メモリ８に対して書き込まれることになる。前述動画撮影状態において、２段スイッチ１３のSW１  １６がユーザによって押されたことにより、動画状態のまま、静止画に撮影に必要な情報を読み出し中の動画情報から、抽出し、静止画撮影準備に備える。その後SW２  １７がユーザによって押された場合、前述の記録中の動画情報から、静止画記録得られた情報により、静止画記録の焦点距離、露出を決定し、静止画記録を行う。静止画記録が完了した後、再び静止画記録を行っていた前の動画記録を再開する。動画撮影中にSW１  １６が押された後、SW２  １７が押されなかった場合、そのまま、動画撮影を継続することになる。
【００１５】
図３は、本発明に関わる撮像装置のシーケンスである。図面に従って説明をする。１０１は撮像装置が、撮影準備状態にあり初期状態、１０３は、撮影モードが、静止画撮影準備状態にあるのか、動画撮影準備状態にあるかを判別する判別手段、１０５は、静止画撮影準備状態において、動画撮影開始スイッチ１５が押されたかどうかを判別する判別手段、１０７は、２段スイッチ１３のSW１  １６が押されたかどうかを判別する手段、１０９は、静止画撮影状態を最適な状態にするためのフォーカス、露出あわせ手段、１１１は、SW１  １６がフォーカス露出をあわせた後にもSW１  １６が押されつづけているか判別する手段、１１３は、２段スイッチ１３のSW２  １７が押されたかどうかを判別する手段、１１５は、静止画記録を行っている状態、１１７は、静止画記録をする前に状態を判別するための手段、１１９は、動画撮影準備状態において、SW１  １６もしくは、動画撮影開始スイッチ１５が押されたかどうか検知判別する手段、１２１は、動画撮影状態、１２３は、動画撮影中にSW１  １６が予め定められた時間以上押し続けられたか、もしくは、SW１  １６が押された後所定時間後SW２  １７が、押されたかどうか判別する手段、１２５は動画撮影終了状態である。
【００１６】
初期状態１０１において、判別手段１０３により撮像装置が、撮影モード切替スイッチ１４の状態で、静止画札時準備状態にあるか、動画撮影準備モードにあるかを判断し静止画撮影準備状態であるなら、判別手段１０５に移行する。その後、動画撮影開始スイッチ１５が押されたかどうかを監視する。動画撮影開始スイッチ１５が押されたこと検知したならば、動画撮影開始１２３に移行する。あわせて同時にSW１  １６が押されたかどうかの監視も行い、SW１  １６もしくは、動画撮影開始スイッチ１５の先に押されたほうの状態を優先、所定の動作を行う、SW１  １６が押されたことを検知したならば、静止画記録に最適な状態に持っていくために撮像装置は、準備状態に入り、フォーカス、露出など、撮像祖装置を最適な状態に移行させる。判別手段１１１は、静止画撮影最適化準備状態完了の後、SW１  １６が押されつづけているか監視し、押されていなければ、初期状態１０１に戻り一連のシーケンスを初期状態にもどり再び開始準備を行う。SW１  １６が押されたならば、１１５静止画撮影に移行し、予め定められた静止画撮影を行い静止画撮影を完了する。静止画撮影完了の後、判別手段１１７により、静止画を開始した前状態が、動画録画状態から割り込まれて開始した、静止画記録か、初期状態１０１、もしくは、判別手段１０３によって静止画撮影と判別された状態からの静止画記録であったか判断を行う。その結果、動画から割り込まれた静止画記録であった場合、動画記録開始１２１に移行し、前状態の動画記録を再開し、継続する。判別手段１０３によって、静止画記録でない、動画記録準備状態であると、撮影モード切替スイッチ１４の状態によって判別された時は、判別手段１１９によって、SW１  １６もしくは、動画撮影開始スイッチ１５が押されたかどうかを監視する。監視状態から、SW１  １６もしくは、動画撮影開始スイッチ１５が、押されたならば、動画記録開始１２１に移行し、予め定められた動画記録を行う。動画記録中に判別手段１２３によってSW１  １６、SW２  １７、動画撮影開始スイッチ１５が、ユーザによって押されたかどうかを監視しスイッチ類の状態を監視する。監視中に、SW１  １６が所定時間押されたか、もしくは、SW１  １６が押された後予め定められた所定時間の後SW２  １７が押されたかどうかを監視判別を行う。SW１  １６が所定時間おされたか、SW１  １６が押された後、SW２  １７が所定時間以内に押されなかったことを検知判別した場合、動画撮影を完了するために、動画撮影終了状態１２５に移行し、動画撮影を完了する。SW１  １６が所定時間押し続けられないもしくは、SW１  １６が押されたのち予め定められた時間SW２  １７が押されなかった場合動画撮影を継続したまま、判別手段１１３に移行し、静止画撮影の準備状態に移行する。
【図面の簡単な説明】
【００１７】
【図１】従来の構成の撮像装置
【図２】本発明の構成の撮像装置
【図３】本発明のスイッチによる動作シーケンス
【符号の説明】
【００１８】
１  撮像制御装置
２  固体撮像素子
３  アナログデジタル変換装置
４  マイク
５  アナログデジタル変換装置
６  圧縮装置
７  中央制御装置
８  記録メモリ
９  メモリ
１０  画像メモリ領域
１１  音声メモリ領域
１３  ２段スイッチ
１６  SW１
１７  SW２
【図１】
2007060094.tif 000003
【図２】
2007060094.tif 000004
【図３】
2007060094.tif 000005